(57)【要約】【課題】ＩＰマルチキャストの経路の疎通性を監視するＩＰマルチキャスト疎通監視方法及びシステムを提供する。【解決手段】本発明のＩＰマルチキャスト疎通監視方法は、複数の配信サーバ（１０１−１，１０１−２）と複数の視聴者端末（１１０−１，１１０−２）間を接続する複数のノード（１２０〜１２４）で構成されたネットワークにて、発ノードＡ（１２０）は、特定の配信サーバＭＳ１（１０１−１）から転送されるパケットのうち、試験対象として通信中の試験対象Ｓ，ＧのＩＰマルチキャストパケットと該試験対象Ｓ，ＧのＩＰマルチキャストパケット以外の運用中パケットとの帯域割当をＸ：Ｙとした場合に、Ｘ／（Ｘ＋Ｙ）の速度で該Ｘの空帯域にＩＰマルチキャスト保守パケットをパディングパケットとして挿入して転送し、エッジノードＤ，Ｅ（１２３，１２４）は、使用帯域を監視して、パディングパケットとして挿入されている試験対象Ｓ，ＧのＩＰマルチキャストパケットを抽出する。【選択図】図１
2010093633.tif 000002
【特許請求の範囲】
【請求項１】
複数の配信サーバと複数の視聴者端末間を接続する複数のノードで構成されたネットワークにて、前記複数のノード間はＩＰマルチキャストの隣接確認が完了しており、前記複数のノードが、少なくとも１つの発ノード、複数の中継ノード、及び複数のエッジノードからなり、ＩＰマルチキャストの転送要求が承諾された承諾ルートを経由して、ＩＰマルチキャストの通信をしている複数のノードのうち、特定の配信サーバから送出されたことを示す送信元情報（Ｓ）及び特定のグループ情報（Ｇ）からなる試験対象Ｓ，Ｇの情報を有するＩＰマルチキャスト通信が、前記特定の配信サーバから到達すべき前記複数の視聴者端末まで疎通しているか否かを確認するために、保守ＯｐＳにより、前記配信サーバとキャリアネットワークの境界に位置するノードのうちの発ノードに、観測用パケットであるＩＰマルチキャスト保守パケットをＩＰマルチキャストパケットとともに挿入して転送させた後、前記複数のノードのうちの着ノードで、前記ＩＰマルチキャスト保守パケットのみを抽出するＩＰマルチキャスト疎通監視方法において、
前記発ノードの処理は
前記特定の配信サーバから転送されるパケットのうち、試験対象として通信中の試験対象Ｓ，ＧのＩＰマルチキャストパケットと該試験対象Ｓ，ＧのＩＰマルチキャストパケット以外の運用中パケットとの帯域割当をＸ：Ｙ（Ｘ及びＹは、１以上の自然数）とした場合に、Ｘ／（Ｘ＋Ｙ）の速度で該Ｘの空帯域にＩＰマルチキャスト保守パケットをパディングパケットとして挿入して転送する制御ステップを含み、
前記エッジノードの処理は、
使用帯域を監視して、パディングパケットとして挿入されている試験対象Ｓ，ＧのＩＰマルチキャストパケットを抽出する試験対象Ｓ，Ｇ抽出ステップを含むことを特徴とするＩＰマルチキャスト疎通監視方法。
【請求項２】
前記発ノードは、第１フィルタと、第２フィルタと、第１揺らぎ吸収バッファと、第２揺らぎ吸収バッファと、通信データ用バッファと、ＩＰマルチキャスト保守パケットバッファと、送受信制御部とを有し、
前記発ノードの処理における制御ステップは、
前記送受信制御部により、前記第１フィルタ、前記第２フィルタ、前記第１揺らぎ吸収バッファＥＳ−Ａ、前記第２揺らぎ吸収バッファＥＳ−Ｄ、前記通信データ用バッファ、及び前記ＩＰマルチキャスト保守パケットバッファを制御して、
前記第１フィルタにより、前記送受信制御部からフィルタ制御の指示を受けた際は、前記特定の配信サーバから転送されたパケットのうち、試験対象Ｓ,ＧのＩＰマルチキャストパケットをフィルタし、その他の運用中パケットを抽出して、入力転送クロックと同一の転送クロックで接続先の前記第１揺らぎ吸収バッファに転送するステップと、
前記第２フィルタにより、前記送受信制御部からフィルタ制御の指示を受けた際は、前記特定の配信サーバから転送されたパケットのうち、その他の運用中パケットをフィルタし、試験対象Ｓ,ＧのＩＰマルチキャストパケットを抽出して、入力転送クロックと同一の転送クロックで接続先の前記通信データ用バッファに転送するステップと、
前記通信データ用バッファにより、前記第２フィルタで受信した試験対象Ｓ，ＧのＩＰマルチキャストパケットを前記第１フィルタからの入力転送クロックのＸ／（Ｘ＋Ｙ）の速度で接続先の前記第２揺らぎ吸収バッファに送信するステップと、
前記ＩＰマルチキャスト保守パケットバッファにより、前記通信データ用バッファから前記第２揺らぎ吸収バッファへの転送が無い際に、前記第１フィルタからの入力転送クロックのＸ／（Ｘ＋Ｙ）の速度で接続先の前記第２揺らぎ吸収バッファにＩＰマルチキャスト保守パケットをパディングパケットとして送信するステップと、
前記送受信制御部により、前記第２揺らぎ吸収バッファ及び前記第１揺らぎ吸収バッファ内のパケットをＸ：Ｙの頻度で読み出して転送するように制御するステップと、
を含むことを特徴とする、請求項１に記載のＩＰマルチキャスト疎通監視方法。
【請求項３】
前記エッジノードは、試験対象Ｓ，Ｇトラヒック監視部と、試験パケット抽出部と、受信情報処理部とを有し、
前記エッジノードの処理における試験対象Ｓ，Ｇ抽出ステップは、
前記試験対象Ｓ，Ｇトラヒック監視部により、当該隣接の中継ノードから受信したパケットを監視し、試験対象Ｓ，ＧのＩＰマルチキャストパケットの使用帯域監視情報を前記受信情報処理部に転送するとともに接続先の前記試験パケット抽出部にパケットを転送するステップと、
前記試験パケット抽出部により、パディングパケットとして挿入されている試験対象Ｓ，ＧのＩＰマルチキャストパケットを抽出して前記受信情報処理部に転送するステップと、
を含むことを特徴とする、請求項１又は２に記載のＩＰマルチキャスト疎通監視方法。
【請求項４】
複数の配信サーバと複数の視聴者端末間を接続する複数のノードで構成されたネットワークにて、前記複数のノード間はＩＰマルチキャストの隣接確認が完了しており、前記複数のノードが、少なくとも１つの発ノード、複数の中継ノード、及び複数のエッジノードからなり、ＩＰマルチキャストの転送要求が承諾された承諾ルートを経由して、ＩＰマルチキャストの通信をしている複数のノードのうち、特定の配信サーバから送出されたことを示す送信元情報（Ｓ）及び特定のグループ情報（Ｇ）からなる試験対象Ｓ，Ｇの情報を有するＩＰマルチキャスト通信が、前記特定の配信サーバから到達すべき前記複数の視聴者端末まで疎通しているか否かを確認するために、保守ＯｐＳにより、前記配信サーバとキャリアネットワークの境界に位置するノードのうちの発ノードに、観測用パケットであるＩＰマルチキャスト保守パケットをＩＰマルチキャストパケットとともに挿入して転送させた後、前記複数のノードのうちの着ノードで、前記ＩＰマルチキャスト保守パケットのみを抽出するＩＰマルチキャスト疎通監視システムにおいて、
前記発ノードは、
前記特定の配信サーバから転送されるパケットのうち、試験対象として通信中の試験対象Ｓ，ＧのＩＰマルチキャストパケットと該試験対象Ｓ，ＧのＩＰマルチキャストパケット以外の運用中パケットとの帯域割当をＸ：Ｙ（Ｘ及びＹは、１以上の自然数）とした場合に、Ｘ／（Ｘ＋Ｙ）の速度で該Ｘの空帯域にＩＰマルチキャスト保守パケットをパディングパケットとして挿入して転送する制御手段を有し、
前記エッジノードは、
使用帯域を監視して、パディングパケットとして挿入されている試験対象Ｓ，ＧのＩＰマルチキャストパケットを抽出する試験対象Ｓ，Ｇ抽出手段を有することを特徴とするＩＰマルチキャスト疎通監視方法。
【請求項５】
前記発ノードにおける制御手段は、第１フィルタと、第２フィルタと、第１揺らぎ吸収バッファと、第２揺らぎ吸収バッファと、通信データ用バッファと、ＩＰマルチキャスト保守パケットバッファと、送受信制御部とを有し、
前記送受信制御部は、前記第１フィルタ、前記第２フィルタ、前記第１揺らぎ吸収バッファＥＳ−Ａ、前記第２揺らぎ吸収バッファＥＳ−Ｄ、前記通信データ用バッファ、及び前記ＩＰマルチキャスト保守パケットバッファを制御し、
前記第１フィルタは、前記送受信制御部からフィルタ制御の指示を受けた際は、前記特定の配信サーバから転送されたパケットのうち、試験対象Ｓ,ＧのＩＰマルチキャストパケットをフィルタし、その他の運用中パケットを抽出して、入力転送クロックと同一の転送クロックで接続先の前記第１揺らぎ吸収バッファに転送し、
前記第２フィルタは、前記送受信制御部からフィルタ制御の指示を受けた際は、前記特定の配信サーバから転送されたパケットのうち、その他の運用中パケットをフィルタし、試験対象Ｓ,ＧのＩＰマルチキャストパケットを抽出して、入力転送クロックと同一の転送クロックで接続先の前記通信データ用バッファに転送し、
前記通信データ用バッファは、前記第２フィルタで受信した試験対象Ｓ，ＧのＩＰマルチキャストパケットを前記第１フィルタからの入力転送クロックのＸ／（Ｘ＋Ｙ）の速度で接続先の前記第２揺らぎ吸収バッファに送信し、
前記ＩＰマルチキャスト保守パケットバッファは、前記通信データ用バッファから前記第２揺らぎ吸収バッファへの転送が無い際に、前記第１フィルタからの入力転送クロックのＸ／（Ｘ＋Ｙ）の速度で接続先の前記第２揺らぎ吸収バッファにＩＰマルチキャスト保守パケットをパディングパケットとして送信し、
前記送受信制御部は、前記第２揺らぎ吸収バッファ及び前記第１揺らぎ吸収バッファ内のパケットをＸ：Ｙの頻度で読み出して転送するように制御する、
ことを特徴とする、請求項４に記載のＩＰマルチキャスト疎通監視システム。
【請求項６】
前記エッジノードの処理における試験対象Ｓ，Ｇ抽出手段は、試験対象Ｓ，Ｇトラヒック監視部と、試験パケット抽出部と、受信情報処理部とを有し、
前記試験対象Ｓ，Ｇトラヒック監視部は、当該隣接の中継ノードから受信したパケットを監視し、試験対象Ｓ，ＧのＩＰマルチキャストパケットの使用帯域監視情報を前記受信情報処理部に転送するとともに接続先の前記試験パケット抽出部にパケットを転送し、
前記試験パケット抽出部は、パディングパケットとして挿入されている試験対象Ｓ，ＧのＩＰマルチキャストパケットを抽出して前記受信情報処理部に転送する、
ことを特徴とする、請求項４又は５に記載のＩＰマルチキャスト疎通監視システム。
【発明の詳細な説明】
【技術分野】
【０００１】
本発明は、複数の配信サーバと複数の視聴者端末間を接続する複数のノードで構成されたネットワークであって、複数のノード間はＩＰマルチキャストの隣接確認が完了している際に、ＩＰマルチキャストの転送要求が承諾されたルート（以下、承諾ルートと称する）を経由してＩＰマルチキャストの通信をしている複数のノードのうち、特定の配信サーバから送出されたことを示す送信元情報（Ｓ）と特定のグループ情報（Ｇ）からなる特定の試験対象（Ｓ，Ｇ）の情報を有するＩＰマルチキャスト通信が、特定の配信サーバから到達すべき複数の視聴者端末まで疎通しているか否かを確認するＩＰマルチキャスト疎通監視方法及びシステムに関する。
【背景技術】
【０００２】
従来技術のＩＰマルチキャスト疎通監視方法について説明する（例えば、非特許文献１，２参照）。尚、非特許文献１に開示される技術に基づいた、従来の第１の方法例は、ＩＰマルチキャスト宛ＰＩＮＧを用いた「従来のＩＰマルチキャスト到達監視方法の一例のブロック図（その１）」として、図５に示している。また、非特許文献２に開示される技術に基づいた、従来の第２の方法例は、ｓｓｍｐｉｎｇを用いた「従来のＩＰマルチキャスト到達監視方法の一例のブロック図（その２）」として、図６に示している。
【０００３】
図５及び図６において、
１０１−１，１０１−２は、配信サーバＭＳ１，ＭＳ２、
１１０−１，１１０−２は、視聴者端末ｈ１，ｈ２、
１１５は、自ネットワークエリア、
１１６は、配信サーバ側、
１１７は、ユーザ側（即ち、視聴者端末側）、
１１８，１１９は、ネットワーク境界点、
１２０は、発ノードＡ、
１２１，１２２は、中継ノードＢ，Ｃ、
１２３，１２４は、エッジノードＤ，Ｅ、
１４０−１〜１４０−６は、送信元情報（Ｓ）がＭＳ１（１０１−１）の同一のグループ（Ｇ）宛のマルチキャストルートを表す。
【０００４】
ここで前提条件として、本例では、ノード間のマルチキャスト制御プロトコルをＰＩＭ−ＳＳＭ、端末視聴管理プロトコルをＭＬＤｖ２を用いて説明している。また、１４０−１〜１４０−６のマルチキャストルートにおいて、発ノードＡ（１２０）〜エッジノードＥ（１２４）の隣接ノード間はＰＩＭ‐ＨｅｌｌｏにてＮｅｉｇｈｂｅｒが確立しており（隣接確認の確立）、さらに、ＰＩＭ‐Ｊｏｉｎの確認が完了し、ＭＬＤｖ２による視聴者端末からの要求手続きが完了しているものとする（承諾ルートの確立）。
【０００５】
図５に示しているシーケンスを参照するに、配信サーバＭＳ１（１０１−１）から、ＩＰマルチキャストグループ宛ＰＩＮＧをグループ（Ｇ）宛に送信する。ＩＰマルチキャストグループ宛ＰＩＮＧは、発ノードＡ（１２０）を経由して中継ノードＣ（１２２）でコピーされ、それぞれエッジノードＤ（１２３）及びエッジノードＥ（１２４）に到着する。エッジノードＤ（１２３）は、ＭＬＤｖ２にて視聴要求している視聴者端末ｈ２（１１０−２）にＩＰマルチキャストグループ宛ＰＩＮＧを送信し、視聴者端末ｈ２（１１０−２）は送信元の配信サーバＭＳ１（１０１−１）にＩＰマルチキャストグループ宛ＰＩＮＧの返信を報告する。また、エッジノードＥ（１２４）は、ＭＬＤｖ２にて視聴要求している視聴者端末ｈ１（１１０−１）にＩＰマルチキャストグループ宛ＰＩＮＧを送信し、視聴者端末ｈ１（１１０−１）は送信元の配信サーバＭＳ１（１０１−１）にＩＰマルチキャストグループ宛ＰＩＮＧの返信を報告する。
【０００６】
尚、視聴者端末ｈ１（１１０−１）から返信されたＩＰマルチキャストグループ宛ＰＩＮＧの返信は、エッジノードＥ（１２４）、中継ノードＣ（１２２）及び発ノードＡ（１２０）を経由して視聴者端末ＭＳ１に到着する。また、並行して、視聴者端末ｈ２（１１０−２）から返信されたＩＰマルチキャストグループ宛ＰＩＮＧの返信は、エッジノードＤ（１２３）、中継ノードＣ（１２２）及び発ノードＡ（１２０）を経由して配信サーバＭＳ１に到着する。この手順により配信サーバＭＳ１は、ＩＰマルチキャストの疎通性を確認する（例えば、非特許文献１参照）。
【０００７】
一方、ｓｓｍｐｉｎｇを用いた視聴者端末ｈ１による疎通性確認の場合には、図６に示しているシーケンスを参照するに、視聴者端末ｈ１（１１０−１）から、ｓｓｍｐｉｎｇをエッジノードＥ（１２４）に送信する。ｓｓｍｐｉｎｇは、エッジノードＥ（１２４）、中継ノードＣ（１２２）及び発ノードＡ（１２０）を経由して配信サーバＭＳ１に到着する。配信サーバＭＳ１（１０１−１）は、ｓｓｍｐｉｎｇの受信を契機に視聴者端末ｈ１（１１０−１）に対してＩＰマルチキャストパケットをグループ（Ｇ）宛に配信する。配信サーバＭＳ１（１０１−１）から配信されたＩＰマルチキャストパケットは、発ノードＡ（１２０）、中継ノードＣ（１２２）及びエッジノードＥ（１２４）を経由して視聴者端末ｈ１（１１０−１）に到着する。この手順により視聴者端末ｈ１は、ＩＰマルチキャストの疎通性を確認する（例えば、非特許文献２参照）。
【０００８】
【非特許文献１】Ｋａｍｉｌ Ｓａｒａｃ  外１名、“ｄｒａｆｔ−ｓａｒａｃ−ｍｐｉｎｇ−００.ｔｘｔ. ＭＰＩＮＧ Ｐｒｏｔｏｃｏｌ Ｏｐｅｒａｔｉｏｎ”、［ｏｎｌｉｎｅ］、平成１６年６月、ＩＥＴＦ、[平成１９年１２月２１日検索]、インターネット〈ＵＲＬ:ｈｔｔｐ：／／ｉｅｔｆｒｅｐｏｒｔ.ｉｓｏｃ.ｏｒｇ／ａｌｌ−ｉｄｓ／ｄｒａｆｔ−ｓａｒａｃ−ｍｐｉｎｇ−００.ｔｘｔ〉
【非特許文献２】Ｐａｖａｎ Ｎａｍｂｕｒｉ  外２名、“４３３−０５９  ＳＳＭ−ＰＩＮＧ：Ａ  ＰＩＮＧ  ＵＴＩＬＩＴＹ  ＦＯＲ  ＳＯＵＲＣＥ  ＳＰＥＣＩＦＩＣ  ＭＵＬＴＩＣＡＳＴ  ４  ＳＳＭ−Ｐｉｎｇ”、［ｏｎｌｉｎｅ］、平成１６年１１月２２日、ＣＩＩＴ  ２００４、 [平成１９年１２月２１日検索]、インターネット〈ＵＲＬ:ｈｔｔｐ：／／ｗｗｗ.ａｃｔａｐｒｅｓｓ.ｃｏｍ／Ｃｏｎｔｅｎｔ＿Ｏｆ＿Ｐｒｏｃｅｅｄｉｎｇ.ａｓｐｘ？ＰｒｏｃｅｅｄｉｎｇＩＤ＝２６６＃ｐａｇｅｓ〉、〈ＵＲＬ:ｈｔｔｐ：／／ｉｍｊ.ｇａｔｅｃｈ.ｅｄｕ／ｐａｐｅｒｓ／ＣＩＩＴ−０４ｂ.ｐｄｆ.ｇｚ〉
【発明の開示】
【発明が解決しようとする課題】
【０００９】
ここで、上述した従来の技術では、ＩＰマルチキャストの疎通性を確認する際、ユーザ要求でＩＰマルチキャストパケットの通過ルート（以下、マルチキャストＴｒｅｅと称する）が設定され、ネットワーク境界点（１１８,１１９）を越えた通信となるため、自ネットワークエリア（１１５）に閉じた疎通性確認ができないという課題がある。また、送信元情報（Ｓ）及び特定のグループ情報（Ｇ）単位での疎通性確認が困難である故に、タイムリーなＩＰマルチキャストパケットの通過ルート（即ち、マルチキャストＴｒｅｅ）について把握することができず、経路監視が困難であるという課題もある。更に、ＩＰマルチキャストの帯域使用状況をタイムリーに確認できないという課題もある。
【００１０】
そこで、自転送ノードの通過を識別可能な通過ルート番号を該ＩＰマルチキャスト保守パケットに付与して、１つ以上の視聴者端末に向けて当該ＩＰマルチキャストパケットとともに転送し、ネットワークにおける各ノードと接続可能な保守ＯｐＳは、各ノードから経路の疎通性の情報を取得するようにして、ＩＰマルチキャストの疎通性を監視する方法が考えられる（先行技術としての参考文献：特願２００８−４３３００号）。
【００１１】
ここで、前述した先行技術の原理を説明する発ノードのＩＰマルチキャスト保守パケット挿入機能における一例のブロック図を、図７〜図１０に示す（以下、総括して「先行技術」と称する）。図１１は、先行出願技術のＩＰマルチキャスト到達監視方法の実施例におけるＩＰマルチキャスト保守パケット内情報を示す図である。図１２は、先行技術のＩＰマルチキャスト到達監視システムにおける帯域使用状況確認の実施例を示すブロック図である。図１３は、先行技術のＩＰマルチキャスト到達監視システムの原理から類推できる発ノードのＩＰマルチキャスト保守パケット挿入機能に関するブロック図である。また、ノード間のマルチキャスト制御プロトコルをＰＩＭ−ＳＳＭ、端末視聴管理プロトコルをＭＬＤｖ２を用いて説明している。また、１４０−１〜１４０−６のマルチキャストルートは、ノードＡ（１２０）〜ノードＥ（１２４）の隣接ノード間はＰＩＭ−ＨｅｌｌｏにてＮｅｉｇｈｂｅｒが確立、ＰＩＭ−Ｊｏｉｎの確認完了、ＭＬＤｖ２による視聴者からの要求手続き完了したことを前提としている。
【００１２】
図７〜図１３において、
０１３は、ＩＰマルチキャスト保守パケットバッファ、
０１５は、送信制御部、
０１６は、通信データ用バッファ、
０３０は、入力パケット、
０３２は、出力パケット、
１０１−１〜１０１−２は、配信サーバＭＳ１〜ＭＳ２、
１１０−１〜１１０−２は、視聴者端末ｈ１〜ｈ２、
１１５は、自ネットワークエリア、
１１６は、配信サーバ側、
１１７は、ユーザ側（即ち、視聴者端末端末側）、
１１８，１１９は、ネットワーク境界点、
１２０は、発ノードＡ、
１２１〜１２２は、中継ノードＢ〜Ｃ、
１２３〜１２４は、エッジノードＤ〜Ｅ、
１４０−１〜１４０−６は、送信元情報（Ｓ）がＭＳ１（１０１−１）の同一のグループ（Ｇ）宛のマルチキャストルート、
１５０は、保守ＯｐＳ、
１６０は、ＩＰマルチキャスト保守パケット情報の内訳、
１６１は、テストモード（ＴＭ）内の詳細情報を表す。
【００１３】
まず、先行技術の原理を発ノードにて適用するＩＰマルチキャスト疎通監視方法の実施例を、図７〜図１０を参照して説明する。尚、説明にあたりＭＳ１発のマルチキャストルート（１４０−１〜１４０−６）についての処理を例とする。
【００１４】
配信サーバＭＳ１（１０１−１）から配信されたＩＰマルチキャストパケットは、ＭＳ１のマルチキャストルート（１４０−１〜１４０−６）にしたがって、発ノードＡ（１２０）を経由し、中継ノードＣ（１２２）でコピー後、エッジノードＤ（１２３）とエッジノードＥ（１２４）に送信され、視聴者端末ｈ１とｈ２に配信されている。
【００１５】
まず、発ノードＡ（１２０）の処理を「処理１１」として説明する（図７参照）。
【００１６】
［処理１１］
発ノードＡ（１２０）では、以下の〔処理１１−ａ〕〜〔処理１１−ｃ〕を定常で実施し、〔処理１１−ｄ〕は保守ＯｐＳからの問い合わせがあった際に実施する。
【００１７】
〔処理１１−ａ〕
通過ＩＰマルチキャストパケットの送信元情報Ｓ及びグループ番号Ｇ（以降、（Ｓ，Ｇ）又は単にＳ，Ｇと記す）を確認する。
【００１８】
〔処理１１−ｂ〕
該当（Ｓ，Ｇ）のＩＰマルチキャスト保守パケットを生成しマルチキャストルート（１４０−２）に挿入すると共に、生成の際、パケット挿入時にテストモード（ＴＭ）、シーケンス番号（ＳＮ）及び通過ルート番号（ＲＮ）をパケット内ペイロードに付与する。また、発ノードＡ（１２０）は、ＩＰマルチキャスト保守パケット（１６０）におけるヘッダの空きエリアにＩＰマルチキャスト保守パケットであることを識別できる試験パケット識別子（ＴＰＭ）を付与する。
【００１９】
〔処理１１−ｃ〕
挿入したＩＰマルチキャスト保守パケットの（Ｓ，Ｇ）、テストモード（ＴＭ）、シーケンス番号（ＳＮ）を保守ＯｐＳに報告する。
【００２０】
〔処理１１−ｄ〕
マルチキャストルート（１４０−２）に送信するＩＰマルチキャスト保守パケットに対応する（Ｓ，Ｇ）について、マルチキャストルート（１４０−２）からのＰＩＭ−Ｊｏｉｎ／Ｐｒｕｎｅ送信状態を確認する。
【００２１】
次に、中継ノードＣ（１２２）の処理を「処理１２」として説明する（図８参照）。
【００２２】
［処理１２］
中継ノードＣ（１２２）では、以下の〔処理１２−ａ〕を定常で実施し、〔処理１２−ｂ〕〜〔処理１２−ｄ〕は保守ＯｐＳからの問い合わせがあった際に実施する。
【００２３】
〔処理１２−ａ〕
中継ノードＣ（１２２）は、試験パケット識別子（ＴＰＭ）を参照し、ＩＰマルチキャスト保守パケットであることを確認し、通過ルート番号（ＲＮ）を付与してマルチキャストルート（１４０−３）及び（１４０−５）にコピーして転送する。
【００２４】
〔処理１２−ｂ〕
ＰＩＭ−Ｈｅｌｌｏの確認を発ノードＡ（１２０）間、エッジノードＥ（１２４）間及びエッジノードＤ（１２３）間で実施する。
【００２５】
〔処理１２−ｃ〕
マルチキャストルート（１４０−２）から受信するＩＰマルチキャスト保守パケットに対応する（Ｓ，Ｇ）について、マルチキャストルート（１４０−３）及び（１４０−４）からのＰＩＭ−Ｊｏｉｎ／Ｐｒｕｎｅ受信状態を確認する。
【００２６】
〔処理１２−ｄ〕
マルチキャストルート（１４０−２）から受信するＩＰマルチキャスト保守パケットに対応する（Ｓ，Ｇ）について、マルチキャストルート（１４０−２）へのＰＩＭ−Ｊｏｉｎ／Ｐｒｕｎｅ送信状態を確認する。
【００２７】
次に、エッジノードＤ（１２３）の処理を「処理１３」として説明する（図９参照）。
【００２８】
［処理１３］
エッジノードＤ（１２３）では、以下の〔処理１３−ａ〕を定常で実施し、〔処理１３−ｂ〕〜〔処理１３−ｄ〕は保守ＯｐＳからの問い合わせがあった際に実施する。
【００２９】
〔処理１３−ａ〕
エッジノードＤ（１２３）は、試験パケット識別子（ＴＰＭ）を参照して、マルチキャストルート（１４０−５）から受信したＩＰマルチキャスト保守パケットのみを抜き出し、シーケンス番号（ＳＮ）、通過ルート番号（ＲＮ）を確認し、保守ＯｐＳに報告する。
【００３０】
〔処理１３−ｂ〕
マルチキャストルート（１４０−５）から受信するＩＰマルチキャスト保守パケットに対応する（Ｓ，Ｇ）について、ＭＬＤｖ２：Ｑｕｅｒｙの視聴者端末ｈ２（１１０−２）への送信状態について確認する。
【００３１】
〔処理１３−ｃ〕
マルチキャストルート（１４０−５）から受信するＩＰマルチキャスト保守パケットに対応する（Ｓ，Ｇ）について、ＭＬＤｖ２：Ｒｅｐｏｒｔ（Ｊｏｉｎ／Ｌｅａｖｅ）の視聴者端末ｈ２（１１０−２)への受信状態を確認する。
【００３２】
〔処理１３−ｄ〕
マルチキャストルート（１４０−５）から受信するＩＰマルチキャスト保守パケットに対応する（Ｓ，Ｇ）について、マルチキャストルート（１４０−５）へのＰＩＭ−Ｊｏｉｎ／Ｐｒｕｎｅ送信状態を確認する。
【００３３】
またエッジノードＥ（１２４）でも、以下の〔処理１３−ａ〕を定常で実施し、〔処理１３−ｂ〕〜〔処理１３−ｄ〕は保守ＯｐＳからの問い合わせがあった際に実施する。
【００３４】
〔処理１３−ａ〕
エッジノードＥ（１２４）は、試験パケット識別子（ＴＰＭ）を参照して、マルチキャストルート（１４０−３）から受信したＩＰマルチキャスト保守パケットのみを抜き出し、シーケンス番号（ＳＮ）、通過ルート番号（ＲＮ）を確認し、保守ＯｐＳに報告する。
【００３５】
〔処理１３−ｂ〕
マルチキャストルート（１４０−３）から受信するＩＰマルチキャスト保守パケットに対応する（Ｓ，Ｇ）について、ＭＬＤｖ２:Ｑｕｅｒｙの視聴者端末ｈ１（１１０−１）への送信状態について確認する。
【００３６】
〔処理１３−ｃ〕
マルチキャストルート（１４０−３）から受信するＩＰマルチキャスト保守パケットに対応する（Ｓ，Ｇ）について、ＭＬＤｖ２：Ｒｅｐｏｒｔ（Ｊｏｉｎ／Ｌｅａｖｅ）の視聴者端末ｈ１（１１０−１）への受信状態を確認する。
【００３７】
〔処理１３−ｄ〕
マルチキャストルート（１４０−３）から受信するＩＰマルチキャスト保守パケットに対応する（Ｓ，Ｇ）について、マルチキャストルート（１４０−３）へのＰＩＭ−Ｊｏｉｎ／Ｐｒｕｎｅ送信状態を確認する。
【００３８】
次に、保守ＯｐＳ（１５０）の処理を「処理１４」として説明する（図１０参照）。
【００３９】
［処理１４］
保守ＯｐＳ（１５０）では、以下の〔処理１４−ａ〕、〔処理１４−ｂ〕を実施する。
【００４０】
〔処理１４−ａ〕
保守ＯｐＳは、「処理１１−ａ」で発ノードＡ（１２０）から取得したＩＰマルチキャスト保守パケットの（Ｓ，Ｇ）、テストモード（ＴＭ）、シーケンス番号（ＳＮ）と、「処理１３−ａ」でエッジノードＤ（１２３）及びＥ（１２４）から取得したＩＰマルチキャスト保守パケットの、テストモード（ＴＭ）、シーケンス番号（ＳＮ）、通過ルート番号（ＲＮ）とを照合し、ＩＰマルチキャストパケットの到達状況及びＩＰマルチキャストＴｒｅｅ把握による経路監視を実施する。
【００４１】
〔処理１４−ｂ〕
保守ＯｐＳは、「処理１３−ｂ」〜「処理１３−ｄ」でエッジノードＤ（１２３）及びＥ（１２４）からの情報により、視聴ホストｈ（１１０）からの要求通りにＩＰマルチキャストパケットが到着しているかの到達正常性を確認し、異常と判断した場合は、マルチキャストルート上の発ノードＡ（１２０）に対して「処理１１−ｄ」の情報及び中継ノードＣ（１２２）に対して「処理１２−ｂ〜１２−ｄ」の情報を問い合わせ、故障切分けを実施する。
【００４２】
図１１及び図１２を参照して、先行技術の原理を提供可能なＩＰマルチキャスト到達監視法における帯域使用状況確認の例を説明する。
【００４３】
図１１は、本発明の原理を示すＩＰマルチキャスト保守パケット内情報を示している。ＩＰマルチキャストパケットが所要の帯域を使用しているかを確認（以下、帯域使用状況確認とも称する）する際、テストモード（ＴＭ）のエリアを使用して識別する。
【００４４】
テストモード（ＴＭ）の詳細（１６１）にパラメータ内訳を示す。
・ＭＤ：モード識別（通常モード／帯域確認モード）
・ＰＳＴ：パケットステータス（先頭パケット／中間パケット／最終パケット）
・Ｔ：監視周期（先頭パケットから最終パケット完了までの送出時間：ｓｅｃ）
・Ｍ：パケット長（ｂｉｔ）
・Ｎ：パケット数（監視周期（Ｔ）内で送出するパケット数：個）
【００４５】
本パラメータより、転送帯域は式（１）となる。
【００４６】
【数１】
2010093633.tif 000003
【００４７】
次に、動作について図１２を参照して説明する。
【００４８】
尚、説明にあたりＭＳ１発のＩＰマルチキャストルート（１４０）でＩＰマルチキャストパケットが転送されている処理を例とする。
【００４９】
「帯域使用状況確認」の際は、発ノードＡ（１２０）にて挿入するＩＰマルチキャスト保守パケットのテストモード（ＴＭ）内モード識別（ＭＤ）に帯域確認モードを設定する。
【００５０】
帯域確認モードの場合は、パケットステータス（ＰＳＴ）、計測間隔（Ｔ）、パケット長（Ｍ）、パケット数（Ｎ）を設定する。尚、Ｍは、パケット毎に可変値を許容し、Ｔ，Ｍは、ＰＳＴ＝先頭パケットの際に設定が必須である。
【００５１】
ＭＤ＝帯域確認モード且つＰＳＴ＝先頭パケットを設定したＩＰマルチキャスト保守パケットを発ノードＡ（１２０）が中継ノードＣへ送出開始した際は、「帯域使用状況確認」が開始された状態となり、発ノードＡ（１２０）は、計測間隔（Ｔ）内にパケット数（Ｎ）に設定したパケットを送出する。
【００５２】
エッジノードＥ（１２４）とエッジノードＤ（１２３）は、転送されたＰＳＴが先頭パケットから最終パケットまでの転送確認モード（ＭＤ）ＩＰマルチキャスト保守パケットを確認し、取り出したＴ，Ｍ，Ｎを元に前述の式（１）から転送帯域を計算し、帯域使用状況を確認する。
【００５３】
しかしながら、先行技術の原理を示す発ノードＡ（１２０）のＩＰマルチキャスト保守パケット挿入機能を、図１３を参照して説明するに、ＩＰマルチキャスト保守パケットで送出したトラヒックと異なるトラヒックを送出することが起こりうる。
【００５４】
配信サーバＭＳ１(１０１−１)より転送された、試験対象（Ｓ，Ｇ）のＩＰマルチキャストパケット及びそれ以外のパケット(以降、運用中パケットと記す)で構成される入力パケット（０３０）は一端、通信データ用バッファ（０１６）に書き込まれる。外部より試験指示を受けた送信制御部（０１５）は、通信データ用バッファ（０１６）内の運用中パケット（０３０）とＩＰマルチキャスト保守パケットバッファ（０１３）内Ｎ＝１〜５のＩＰマルチキャスト保守パケットを、読み出し制御により両バッファから送出パケット（０３２）として送出する。ここで、この送出パケット（０３２）内には、試験対象Ｓ，ＧのＩＰマルチキャストパケットとＩＰマルチキャスト保守パケットが監視周期Ｔ内で混在するため、実質の送出トラヒックは、次式で表される、ＩＰマルチキャスト保守パケットで送出したトラヒックと異なるトラヒックを送出してしまう。
【００５５】
【数２】
2010093633.tif 000004
【００５６】
このように、先行技術に基づく技法によれば、送信元情報（Ｓ）及び特定のグループ情報（Ｇ）単位で、ＩＰマルチキャストの疎通性の監視技法を提供するものであり、特定の配信サーバと通信する発ノードＡ（１２０）は、その通信中の送信元情報（Ｓ）及び特定のグループ情報（Ｇ）毎のＩＰマルチキャストパケットを把握し、送信元及び特定のグループ情報の組み合わせ毎に、ペイロードにシーケンス番号（ＳＮ）及び通過ルート番号（ＲＮ）の格納エリアを有するＩＰマルチキャスト保守パケット（１６０）を生成し、所定のシーケンス番号（ＳＮ）及び自ノードの通過ルート番号（ＲＮ）を当該格納エリアに挿入して、当該ＩＰマルチキャストパケットとともに下流のノードに送信する。該下流のノードの各々は、自ノードの通過ルート番号を該ＩＰマルチキャスト保守パケットに付与して、１つ以上の視聴者端末に向けて当該ＩＰマルチキャストパケットとともに転送し、保守ＯｐＳ（１５０）は、各ノードから経路の疎通性の情報を取得することができる。
【００５７】
しかしながら、上述した先行技術の技術では、運用中はＩＰマルチキャスト保守パケットと同じＳ，Ｇのユーザ発出ＩＰマルチキャストが同一ブレーンで混在して転送しまうことから、受信側のエッジノードにおいて抽出したＩＰマルチキャスト保守パケットをもとに使用帯域を測定する際、正確に把握出来ない状況が起こりうる。即ち、同じ試験対象（Ｓ，Ｇ）のユーザ発出ＩＰマルチキャストが通信しない状況の場合のみしか、ＩＰマルチキャストの帯域使用状況をタイムリーに確認することができないという課題がある。
【００５８】
そこで、本発明の目的は、上述の問題を鑑みて、ＩＰマルチキャストの経路の疎通性を監視するＩＰマルチキャスト疎通監視方法及びシステムを提供することにある。
【課題を解決するための手段】
【００５９】
本発明のＩＰマルチキャスト疎通監視方法は、複数の配信サーバと複数の視聴者端末間を接続する複数のノードで構成されたネットワークにて、前記複数のノード間はＩＰマルチキャストの隣接確認が完了しており、前記複数のノードが、少なくとも１つの発ノード、複数の中継ノード、及び複数のエッジノードからなり、ＩＰマルチキャストの転送要求が承諾された承諾ルートを経由して、ＩＰマルチキャストの通信をしている複数のノードのうち、特定の配信サーバから送出されたことを示す送信元情報（Ｓ）及び特定のグループ情報（Ｇ）からなる試験対象Ｓ，Ｇの情報を有するＩＰマルチキャスト通信が、前記特定の配信サーバから到達すべき前記複数の視聴者端末まで疎通しているか否かを確認するために、保守ＯｐＳにより、前記配信サーバとキャリアネットワークの境界に位置するノードのうちの発ノードに、観測用パケットであるＩＰマルチキャスト保守パケットをＩＰマルチキャストパケットとともに挿入して転送させた後、前記複数のノードのうちの着ノードで、前記ＩＰマルチキャスト保守パケットのみを抽出するＩＰマルチキャスト疎通監視方法において、
前記発ノードの処理は、
前記特定の配信サーバから転送されるパケットのうち、試験対象として通信中の試験対象Ｓ，ＧのＩＰマルチキャストパケットと該試験対象Ｓ，ＧのＩＰマルチキャストパケット以外の運用中パケットとの帯域割当をＸ：Ｙ（Ｘ及びＹは、１以上の自然数）とした場合に、Ｘ／（Ｘ＋Ｙ）の速度で該Ｘの空帯域にＩＰマルチキャスト保守パケットをパディングパケットとして挿入して転送する制御ステップを含み、
前記エッジノードの処理は、
使用帯域を監視して、パディングパケットとして挿入されている試験対象Ｓ，ＧのＩＰマルチキャストパケットを抽出する試験対象Ｓ，Ｇ抽出ステップを含むことを特徴とする。
【００６０】
また、本発明のＩＰマルチキャスト疎通監視方法において、
前記発ノードは、第１フィルタと、第２フィルタと、第１揺らぎ吸収バッファと、第２揺らぎ吸収バッファと、通信データ用バッファと、ＩＰマルチキャスト保守パケットバッファと、送受信制御部とを有し、
前記発ノードの処理における制御ステップは、
前記送受信制御部により、前記第１フィルタ、前記第２フィルタ、前記第１揺らぎ吸収バッファＥＳ−Ａ、前記第２揺らぎ吸収バッファＥＳ−Ｄ、前記通信データ用バッファ、及び前記ＩＰマルチキャスト保守パケットバッファを制御して、
前記第１フィルタにより、前記送受信制御部からフィルタ制御の指示を受けた際は、前記特定の配信サーバから転送されたパケットのうち、試験対象Ｓ,ＧのＩＰマルチキャストパケットをフィルタし、その他の運用中パケットを抽出して、入力転送クロックと同一の転送クロックで接続先の前記第１揺らぎ吸収バッファに転送するステップと、
前記第２フィルタにより、前記送受信制御部からフィルタ制御の指示を受けた際は、前記特定の配信サーバから転送されたパケットのうち、その他の運用中パケットをフィルタし、試験対象Ｓ,ＧのＩＰマルチキャストパケットを抽出して、入力転送クロックと同一の転送クロックで接続先の前記第２揺らぎ吸収バッファに転送するステップと、
前記通信データ用バッファにより、前記第２フィルタで受信した試験対象Ｓ，ＧのＩＰマルチキャストパケットを前記第１フィルタからの入力転送クロックのＸ／（Ｘ＋Ｙ）の速度で接続先の前記第２揺らぎ吸収バッファに送信するステップと、
前記ＩＰマルチキャスト保守パケットバッファにより、前記通信データ用バッファから前記第２揺らぎ吸収バッファへの転送が無い際に、前記第１フィルタからの入力転送クロックのＸ／（Ｘ＋Ｙ）の速度で接続先の前記第２揺らぎ吸収バッファにＩＰマルチキャスト保守パケットをパディングパケットとして送信するステップと、
前記送受信制御部により、前記第２揺らぎ吸収バッファ及び前記第１揺らぎ吸収バッファ内のパケットをＸ：Ｙの頻度で読み出して転送するように制御するステップと、
を含むことを特徴とする。
【００６１】
また、本発明のＩＰマルチキャスト疎通監視方法において、
前記エッジノードは、試験対象Ｓ，Ｇトラヒック監視部と、試験パケット抽出部と、受信情報処理部とを有し、
前記エッジノードの処理における試験対象Ｓ，Ｇ抽出ステップは、
前記試験対象Ｓ，Ｇトラヒック監視部により、当該隣接の中継ノードから受信したパケットを監視し、試験対象Ｓ，ＧのＩＰマルチキャストパケットの使用帯域監視情報を前記受信情報処理部に転送するとともに接続先の前記試験パケット抽出部にパケットを転送するステップと、
前記試験パケット抽出部により、パディングパケットとして挿入されている試験対象Ｓ，ＧのＩＰマルチキャストパケットを抽出して前記受信情報処理部に転送するステップと、
を含むことを特徴とする。
【００６２】
更に、本発明のＩＰマルチキャスト疎通監視システムは、複数の配信サーバと複数の視聴者端末間を接続する複数のノードで構成されたネットワークにて、前記複数のノード間はＩＰマルチキャストの隣接確認が完了しており、前記複数のノードが、少なくとも１つの発ノード、複数の中継ノード、及び複数のエッジノードからなり、ＩＰマルチキャストの転送要求が承諾された承諾ルートを経由して、ＩＰマルチキャストの通信をしている複数のノードのうち、特定の配信サーバから送出されたことを示す送信元情報（Ｓ）及び特定のグループ情報（Ｇ）からなる試験対象Ｓ，Ｇの情報を有するＩＰマルチキャスト通信が、前記特定の配信サーバから到達すべき前記複数の視聴者端末まで疎通しているか否かを確認するために、保守ＯｐＳにより、前記配信サーバとキャリアネットワークの境界に位置するノードのうちの発ノードに、観測用パケットであるＩＰマルチキャスト保守パケットをＩＰマルチキャストパケットとともに挿入して転送させた後、前記複数のノードのうちの着ノードで、前記ＩＰマルチキャスト保守パケットのみを抽出するＩＰマルチキャスト疎通監視システムにおいて、
前記発ノードは
前記特定の配信サーバから転送されるパケットのうち、試験対象として通信中の試験対象Ｓ，ＧのＩＰマルチキャストパケットと該試験対象Ｓ，ＧのＩＰマルチキャストパケット以外の運用中パケットとの帯域割当をＸ：Ｙ（Ｘ及びＹは、１以上の自然数）とした場合に、Ｘ／（Ｘ＋Ｙ）の速度で該Ｘの空帯域にＩＰマルチキャスト保守パケットをパディングパケットとして挿入して転送する制御手段を有し、
前記エッジノードは、
使用帯域を監視して、パディングパケットとして挿入されている試験対象Ｓ，ＧのＩＰマルチキャストパケットを抽出する試験対象Ｓ，Ｇ抽出手段を有することを特徴とする。
【００６３】
また、本発明のＩＰマルチキャスト疎通監視システムにおいて、
前記発ノードにおける制御手段は、第１フィルタと、第２フィルタと、第１揺らぎ吸収バッファと、第２揺らぎ吸収バッファと、通信データ用バッファと、ＩＰマルチキャスト保守パケットバッファと、送受信制御部とを有し、
前記送受信制御部は、前記第１フィルタ、前記第２フィルタ、前記第１揺らぎ吸収バッファＥＳ−Ａ、前記第２揺らぎ吸収バッファＥＳ−Ｄ、前記通信データ用バッファ、及び前記ＩＰマルチキャスト保守パケットバッファを制御し、
前記第１フィルタは、前記送受信制御部からフィルタ制御の指示を受けた際は、前記特定の配信サーバから転送されたパケットのうち、試験対象Ｓ,ＧのＩＰマルチキャストパケットをフィルタし、その他の運用中パケットを抽出して、入力転送クロックと同一の転送クロックで接続先の前記第１揺らぎ吸収バッファに転送し、
前記第２フィルタは、前記送受信制御部からフィルタ制御の指示を受けた際は、前記特定の配信サーバから転送されたパケットのうち、その他の運用中パケットをフィルタし、試験対象Ｓ,ＧのＩＰマルチキャストパケットを抽出して、入力転送クロックと同一の転送クロックで接続先の前記第２揺らぎ吸収バッファに転送し、
前記通信データ用バッファは、前記第２フィルタで受信した試験対象Ｓ，ＧのＩＰマルチキャストパケットを前記第１フィルタからの入力転送クロックのＸ／（Ｘ＋Ｙ）の速度で接続先の前記第２揺らぎ吸収バッファに送信し、
前記ＩＰマルチキャスト保守パケットバッファは、前記通信データ用バッファから前記第２揺らぎ吸収バッファへの転送が無い際に、前記第１フィルタからの入力転送クロックのＸ／（Ｘ＋Ｙ）の速度で接続先の前記第２揺らぎ吸収バッファにＩＰマルチキャスト保守パケットをパディングパケットとして送信し、
前記送受信制御部は、前記第２揺らぎ吸収バッファ及び前記第１揺らぎ吸収バッファ内のパケットをＸ：Ｙの頻度で読み出して転送するように制御する、
ことを特徴とする。
【００６４】
また、本発明のＩＰマルチキャスト疎通監視システムにおいて、
前記エッジノードの処理における試験対象Ｓ，Ｇ抽出手段は、試験対象Ｓ，Ｇトラヒック監視部と、試験パケット抽出部と、受信情報処理部とを有し、
前記試験対象Ｓ，Ｇトラヒック監視部は、当該隣接の中継ノードから受信したパケットを監視し、試験対象Ｓ，ＧのＩＰマルチキャストパケットの使用帯域監視情報を前記受信情報処理部に転送するとともに接続先の前記試験パケット抽出部にパケットを転送し、
前記試験パケット抽出部は、パディングパケットとして挿入されている試験対象Ｓ，ＧのＩＰマルチキャストパケットを抽出して前記受信情報処理部に転送する、
ことを特徴とする。
【発明の効果】
【００６５】
本発明によれば、配信サーバから発ノードに届いた試験対象Ｓ，ＧのＩＰマルチキャストパケットが、試験対象Ｓ，Ｇに割り当てられた帯域を１００％で使用していない場合でも、不足分の空帯域にＩＰマルチキャスト保守パケットをパディングパケットとして挿入することにより、試験対象Ｓ，Ｇ割当帯域１００％の転送を満足させることができ、システム運用中においても、タイムリーに帯域度用状況を正確に確認することができるようになる。
【発明を実施するための最良の形態】
【００６６】
以下、本発明による実施例のＩＰマルチキャスト到達監視方法及びシステムを、図面を参照して詳細に説明する。以下、本発明の実施の形態について、図面を参照して詳細に説明する。図１は、本発明の原理を示す発ノードのＩＰマルチキャスト保守パケット挿入機能に関するブロック図である。図２は、本発明の原理を示すエッジノードのＩＰマルチキャストパケット処理機能に関するブロック図である。図３は、本発明の原理を示すＩＰマルチキャスト到達監視方法の実施例のブロック図である。図４は、本発明の原理を示すＩＰマルチキャスト到達監視方法の実施例におけるＩＰマルチキャスト保守パケット内情報である。尚、各図において同様な構成要素には同一の参照番号を付している。
【００６７】
また、本説明でも、ノード間のマルチキャスト制御プロトコルにはＰＩＭ−ＳＳＭを、端末視聴管理プロトコルにはＭＬＤｖ２を用いる場合を説明している。また、１４０−１〜１４０−６のマルチキャストルートは、発ノードＡ（１２０）〜ノードＥ（１２４）の隣接ノード間はＰＩＭ−ＨｅｌｌｏにてＮｅｉｇｈｂｅｒが確立しており（隣接確認の確立）、さらに、ＰＩＭ‐Ｊｏｉｎの確認が完了し、ＭＬＤｖ２による視聴者端末からの要求手続きが完了しているものとする（承諾ルートの確立）。
【００６８】
図１〜図４において、
ａ０１は、上流の配信サーバからの入力トラヒック状況及びパケット分布（以降、「入力トラヒック“ａ”」と記す）、
ａ０２は、下流の中継ノードヘの出力トラヒック状況及びパケット分布（以降、「出力トラヒック“a”」と記す）、
ａ０３は、第１フィルタ、
ａ０４は、第２フィルタ、
ａ０５は、第１揺らぎ吸収バッファＥＳ−Ａ、
ａ０６は、第２揺らぎ吸収バッファＥＳ−Ｄ、
ａ０７は、通信データ用バッファ、
ａ０８は、ＩＰマルチキャスト保守パケットバッファ、
ａ０９は、送受信制御部、
ｂ０１は、隣接する上流の中継ノードからの入力トラヒック状況及びパケット分布（以降、「入力トラヒック“ｂ”」と記す）、
ｂ０２は、下流の視聴者への出力トラヒック状況及びパケット分布（以降、「出力トラヒック“ｂ”」と記す）、
ｂ０３は、試験対象Ｓ，Ｇトラヒック監視部、
ｂ０４は、試験パケット抽出部、
ｂ０５は、受信情報処理部、
１０１−１〜１０１−２は、それぞれ配信サーバＭＳ１〜ＭＳ２、
１１０−１〜１１０−２は、視聴者端末ｈ１〜ｈ２、
１１５は、自ネットワークエリア、
１１６は、配信サーバ側、
１１７は、ユーザ側（即ち、視聴者端末端末側）、
１１８，１１９は、ネットワーク境界点、
１２０は、発ノードＡ、
１２１〜１２２は、中継ノードＢ〜Ｃ、
１２３〜１２４は、エッジノードＤ〜Ｅ、
１４０−１〜１４０−６は、送信元情報（Ｓ）がＭＳ１（１０１−１）の同一のグループ（Ｇ）宛のマルチキャストルート、
１５０は、保守ＯｐＳ、
１６０は、ＩＰマルチキャスト保守パケット情報の内訳、
１６１−１は、テストモード（ＴＭ）内の詳細情報を表す。
【００６９】
また、複数の配信サーバＭＳ１，ＭＳ２（１０１−１，１０１−２）の各々は、ＩＰマルチキャストパケットの転送と調停の完了でルートの確立後、ＩＰマルチキャストパケットを隣接の発ノードＡ（１２０）に転送する機能を有する。
【００７０】
複数の視聴者端末ｈ１，ｈ２の各々は、隣接のエッジノードから転送されるＩＰマルチキャストパケットを受信する機能を有する。
【００７１】
発ノードＡ（１２０）は、先行技術と同様の機能として、隣接の複数の配信サーバＭＳ１，ＭＳ２（１０１−１，１０１−２）のいずれかから受信したＩＰマルチキャストパケットを参照し、送信元情報（Ｓ）及び特定のグループ情報（Ｇ）のＩＰマルチキャストパケットを把握する機能と、把握した送信元情報（Ｓ）及び特定のグループ情報（Ｇ）毎に１個のＩＰマルチキャスト保守パケットを生成し、参照したＩＰマルチキャストパケットが転送される承諾ルートの隣接する中継ノードヘ送信する機能と、ＩＰマルチキャスト保守パケットを生成する際、試験モードが識別できるテストモード（以下、ＴＭと称する）と、送信しようとするＩＰマルチキャスト保守パケットの順番が判断できるシーケンス番号（ＳＮ）と、ＩＰマルチキャスト保守パケットが通過するルートが把握できる通過ルート番号（ＲＮ）の情報とを所定の格納エリアに挿入する機能と、当該承諾ルートにＩＰマルチキャスト保守パケットを転送完了後、当該承諾ルートに対応するＩＰマルチキャスト保守パケットの送信元情報（Ｓ），特定のグループ情報（Ｇ），テストモード（ＴＭ），シーケンス番号（ＳＮ）を保守ＯｐＳ（１５０）へ報告する機能と、送信元情報（Ｓ）及び特定のグループ情報（Ｇ）の組み合わせ毎の経路制御プロトコルであるＰＩＭ−Ｊｏｉｎ及びＰＩＭ−Ｐｒｕｎｅを、下流の承諾ルートの隣接中継ノードから受信しているか否かを確認することにより、下流の隣接の中継ノードからのＩＰマルチキャスト転送要求を把握する機能と、保守ＯｐＳ（１５０）から問い合わせがあった際に、下流の隣接の中継ノードからのＩＰマルチキャスト転送要求を報告する機能とを有する。
【００７２】
発ノードＡ（１２０）は、先行技術と同様の機能として、該当（Ｓ，Ｇ）のＩＰマルチキャスト保守パケットを生成し、マルチキャストルート（１４０−２）に挿入すると共に、生成の際、パケット挿入時、テストモード（ＴＭ）、シーケンス番号（ＳＮ）及び通過ルート番号（ＲＮ）をパケット内ペイロードに付与する。また、発ノードＡ（１２０）は、ＩＰマルチキャスト保守パケット（１６０）におけるヘッダの空きエリアに、ＩＰマルチキャスト保守パケットであることを識別する試験パケット識別子（ＴＰＭ）を付与する。この試験パケット識別子（ＴＰＭ）は、下流のノード（中継ノード又はエッジノード）において、ＩＰマルチキャストパケットであるか、又はＩＰマルチキャストパケットであるかを識別するのに用いられる。
【００７３】
複数の中継ノードＢ，Ｃ（１２１，１２２）の各々は、先行技術と同様の機能として、隣接ノードから転送されたＩＰマルチキャストパケット及びＩＰマルチキャスト保守パケットを承諾ルートの隣接ノードヘ転送する機能と、ＩＰマルチキャスト保守パケットを承諾ルートの隣接ノードヘ転送する際、自転送ノードの通過を識別可能な自ノードの通過ルート番号（ＲＮ）を、ＩＰマルチキャスト保守パケット内の当該所定の格納エリアに付与する機能と、経路制御プロトコルに基づくＰＩＭ−Ｈｅｌｌｏを確認することにより、隣接ノードとのＩＰマルチキャスト隣接状況を把握する機能と、送信元情報（Ｓ）及び特定のグループ情報（Ｇ）の組み合わせ毎のＰＩＭ−Ｊｏｉｎ及びＰＩＭ−Ｐｒｕｎｅについて、下流の承諾ルートの隣接ノードから受信しているか否かを確認することにより、下流の隣接ノードからのＩＰマルチキャスト転送要求を把握する機能と、送信元情報（Ｓ）及び特定のグループ情報（Ｇ）の組み合わせ毎のＰＩＭ−Ｊｏｉｎ及びＰＩＭ−Ｐｒｕｎｅを上流の隣接ノードヘ送信しているか否かを確認することにより、上流の隣接ノードヘのＩＰマルチキャスト転送要求を把握する機能と、保守ＯｐＳ（１５０）から問い合わせがあった際は、ＩＰマルチキャスト隣接状況と、下流の隣接ノードからのＩＰマルチキャスト転送要求と、上流の隣接ノードヘのＩＰマルチキャスト転送要求とを報告する機能とを有する。
【００７４】
複数のエッジノードＤ，Ｅ（１２３，１２４）の各々は、先行技術と同様の機能として、隣接中継ノードから到着したＩＰマルチキャストパケットのうち、ＩＰマルチキャスト保守パケットのみ抜き取る機能と、抜き取ったＩＰマルチキャスト保守パケット内の送信元情報（Ｓ），特定のグループ情報（Ｇ），テストモード（ＴＭ），シーケンス番号（ＳＮ），通過ルート番号（ＲＮ）を確認し、保守ＯｐＳ（１５０）へ報告する機能と、送信元情報（Ｓ）及び特定のグループ情報（Ｇ）の組み合わせ毎の端末視聴管理プロトコルのＱｕｅｒｙを承諾ルートの対応する視聴者端末へ送信しているか否かを確認することにより、該視聴者端末への視聴許可状況を把握する機能と、送信元情報（Ｓ）及び特定のグループ情報（Ｇ）の組み合わせ毎の端末視聴管理プロトコルのＲｅｐｏｒｔを承諾ルートの対応する視聴者端末から受信しているか否かを確認することにより、該視聴者端末からの視聴要求状況を把握する機能と、送信元情報（Ｓ）及び特定のグループ情報（Ｇ）の組み合わせ毎のＰＩＭ−Ｊｏｉｎ及びＰＩＭ−Ｐｒｕｎｅを上流の隣接の中継ノードヘ送信しているか否かを確認することにより、上流の隣接中継ノードヘのＩＰマルチキャスト転送要求を把握する機能と、保守ＯｐＳ（１５０）から問い合わせがあった際は、承諾ルートの対応する視聴者端末への視聴許可状況と、該視聴者端末からの視聴要求状況と、上流の隣接中継ノードヘのＩＰマルチキャスト転送要求とを報告する機能とを有する。
【００７５】
保守ＯｐＳ（１５０）は、先行技術と同様の機能として、発ノードＡ（１２０）、複数の中継ノードＢ，Ｃ（１２１，１２２）の各々、及び、複数のエッジノードＤ，Ｅ（１２３，１２４）の各々と、情報の送受信を行う機能と、発ノードＡ（１２０）から報告された情報である送信元情報（Ｓ），特定のグループ情報（Ｇ），テストモード（ＴＭ），シーケンス番号（ＳＮ）と、エッジノードから報告された情報である送信元情報（Ｓ），特定のグループ情報（Ｇ），テストモード（ＴＭ），シーケンス番号（ＳＮ），通過ルート番号（ＲＮ）とを確認することにより、発ノードＡ（１２０）によって送信されたＩＰマルチキャスト保守パケットが到着すべきエッジノードヘ到着しているか否かを確認する機能とを有する。
【００７６】
保守ＯｐＳ（１５０）は、先行技術と同様の機能として、各ノードにおける情報取得の必要性に応じて問い合わせを行い、発ノードＡ（１２０）に対しては、該発ノードＡ（１２０）の下流の隣接の中継ノードからのＩＰマルチキャスト転送要求を確認し、複数の中継ノードＢ，Ｃ（１２１，１２２）の各々に対しては、ＩＰマルチキャスト隣接状況の把握要求と、下流の隣接ノードからのＩＰマルチキャストの転送要求と、上流の隣接ノードヘのＩＰマルチキャストの転送要求とを確認し、複数のエッジノードＤ，Ｅ（１２３，１２４）の各々に対しては、各視聴者端末への視聴許可状況の把握要求と、視聴者端末からの視聴要求状況の把握要求と、上流の隣接中継ノードヘのＩＰマルチキャストの転送要求とを確認する機能とを有する。
【００７７】
即ち、図１〜図４に関する本実施例のＩＰマルチキャスト疎通監視システムの動作は、先行技術として図７〜図１３にて説明したものと同様の機能を包有することもできるが、特に、本実施例のＩＰマルチキャスト疎通監視システムの各構成要素は、以下に説明する機能を更に有する。ここで、本発明は、特定の発ノード、複数の配信サーバ、複数の中継ノード、複数のエッジノード、及び、複数の視聴者端末について、それぞれ本実施例の構成に限定されるものではないことは云うまでもない。
【００７８】
即ち、本発明による実施例のＩＰマルチキャスト到達監視システムは、複数の配信サーバＭＳ１，ＭＳ２（１０１−１，１０１−２）と複数の視聴者端末ｈ１，ｈ２（１１０−１，１１０−２）間を接続する複数のノード（１２０〜１２４）で構成されたネットワークにて、複数のノード（１２０〜１２４）間はＩＰマルチキャストの隣接確認が完了しており、複数のノード（１２０〜１２４）が、少なくとも１つの発ノードＡ（１２０）、複数の中継ノードＢ，Ｃ（１２１，１２２）、及び複数のエッジノードＤ，Ｅ（１２３，１２４）からなり、ＩＰマルチキャストの転送要求が承諾された承諾ルートを経由して、ＩＰマルチキャストの通信をしている複数のノード（１２０〜１２４）のうち、特定の配信サーバＭＳ１（１０１−１）から送出されたことを示す送信元情報（Ｓ）及び特定のグループ情報（Ｇ）からなる試験対象Ｓ，Ｇの情報を有するＩＰマルチキャスト通信が、特定の配信サーバＭＳ１（１０１−１）から到達すべき複数の視聴者端末ｈ１，ｈ２（１１０−１，１１０−２）まで疎通しているか否かを確認するために、保守ＯｐＳ（１５０）により、配信サーバＭＳ１（１０１−１）に対してキャリアネットワークの境界に位置するノードのうちの発ノードＡ（１２０）に、観測用パケットであるＩＰマルチキャスト保守パケットをＩＰマルチキャストパケットとともに挿入して転送させた後、複数のノードのうちの着ノード（好適には、視聴者端末ｈ１，ｈ２（１１０−１，１１０−２）に対してキャリアネットワークの境界に位置するエッジノードＤ，Ｅ（１２３，１２４））で、ＩＰマルチキャスト保守パケットのみを抽出するためのシステムである。
【００７９】
本発明による実施例のＩＰマルチキャスト到達監視システムにおいても、先行技術と同様に、配信サーバＭＳ１（１０１−１）は、ＩＰマルチキャストの転送と調停の完了後、ＩＰマルチキャストを隣接の発ノードＡ（１２０）に転送する機能を有する。
【００８０】
また、複数の視聴者端末ｈ１，ｈ２（１１０−１，１１０−２）は、先行技術と同様に、隣接のエッジノードＤ，Ｅ（１２３，１２４）から転送されるＩＰマルチキャストを受信する機能を有する。
【００８１】
一方、本発明による実施例のＩＰマルチキャスト到達監視システムにおいて、発ノードＡ（１２０）は、第１フィルタ（ａ０３）と、第２フィルタ（ａ０４）と、第１揺らぎ吸収バッファＥＳ−Ａ（ａ０５）と、第２揺らぎ吸収バッファＥＳ−Ｄ（ａ０６）と、通信データ用バッファ（０１６）と、ＩＰマルチキャスト保守パケットバッファ（０１３）と、送受信制御部（０１４）とを有し、保守ＯｐＳ（１５０）からの指示により、送受信制御部（０１４）は、第１フィルタ（ａ０３）、第２フィルタ（ａ０４）、第１揺らぎ吸収バッファＥＳ−Ａ（ａ０５）、第２揺らぎ吸収バッファＥＳ−Ｄ（ａ０６）、通信データ用バッファ（０１６）、及びＩＰマルチキャスト保守パケットバッファ（０１３）を制御して、配信サーバＭＳ１（１０１−１）から転送されるパケットのうち、試験対象として通信中の試験対象Ｓ，ＧのＩＰマルチキャストパケットと該試験対象Ｓ，ＧのＩＰマルチキャストパケット以外の運用中パケットとの帯域割当をＸ：Ｙ（Ｘ及びＹは、１以上の自然数）とした場合に、Ｘ／（Ｘ＋Ｙ）の速度で該Ｘの空帯域にＩＰマルチキャスト保守パケットをパディングパケットとして挿入して転送する。より具体的な構成を、以下に説明する。
【００８２】
第１フィルタ（ａ０３）は、送受信制御部（０１４）からフィルタ制御の指示を受けた際は、配信サーバＭＳ１（１０１−１）から転送されたパケットのうち、試験対象Ｓ,ＧのＩＰマルチキャストパケットをフィルタ（遮断）し、その他の運用中パケットを抽出して、入力転送クロックと同一の転送クロックで接続先の第１揺らぎ吸収バッファＥＳ−Ａ（ａ０５）に転送する機能を有する。
【００８３】
第２フィルタ（ａ０４）は、送受信制御部（０１４）からフィルタ制御の指示を受けた際は、配信サーバＭＳ１（１０１−１）から転送されたパケットのうち、その他の運用中パケットをフィルタ（遮断）し、試験対象Ｓ,ＧのＩＰマルチキャストパケットを抽出して、入力転送クロックと同一の転送クロックで接続先の通信データ用バッファ（ａ０７）に転送する機能を有する。
【００８４】
通信データ用バッファ（ａ０７）は、第２フィルタ（ａ０４）で受信した試験対象Ｓ，ＧのＩＰマルチキャストパケットを第１フィルタ（ａ０３）からの入力転送クロックのＸ／（Ｘ＋Ｙ）の速度で接続先の第２揺らぎ吸収バッファＥＳ−Ｄ（ａ０６）に送信する機能を有する。
【００８５】
ＩＰマルチキャスト保守パケットバッファ（ａ０８）は、通信データ用バッファ（ａ０７）から第２揺らぎ吸収バッファＥＳ−Ｄ（ａ０６）への転送が無い際に、第１フィルタ（ａ０３）からの入力転送クロックのＸ／（Ｘ＋Ｙ）の速度で接続先の第２揺らぎ吸収バッファＥＳ−Ｄ（ａ０６）にＩＰマルチキャスト保守パケットをパディングパケットとして送信する機能を有する。
【００８６】
従って、送受信制御部（ａ０９）は、保守ＯｐＳ（１５０）からの制御により、第２揺らぎ吸収バッファＥＳ−Ｄ（ａ０６）及び第１揺らぎ吸収バッファＥＳ−Ａ（ａ０５）内のパケットをＸ：Ｙの頻度で読み出して転送するように制御する機能を有する。
【００８７】
また、本発明による実施例のＩＰマルチキャスト到達監視システムにおいて、エッジノードＤ，Ｅ（１２３，１２４）は、保守ＯｐＳ（１５０）からの指示により、使用帯域を監視して、パディングパケットとして挿入されている試験対象Ｓ，ＧのＩＰマルチキャストパケットを抽出する。より具体的な構成として、エッジノードＤ，Ｅ（１２３，１２４）は、試験対象Ｓ，Ｇトラヒック監視部（ｂ０３）と、試験パケット抽出部（ｂ０４）と、受信情報処理部（ｂ０５）とを有する。保守ＯｐＳ（１５０）からの指示により、受信情報処理部（ｂ０５）は、試験対象Ｓ，Ｇトラヒック監視部（ｂ０３）と、試験パケット抽出部（ｂ０４）とを制御する。
【００８８】
試験対象Ｓ，Ｇトラヒック監視部（ｂ０３）は、隣接の中継ノードＢ，Ｃ（１２１，１２２）から受信したパケットを監視し、試験対象Ｓ，ＧのＩＰマルチキャストパケットの使用帯域監視情報を受信情報処理部（ｂ０５）に転送するとともに接続先の試験パケット抽出部（ｂ０４）にパケットを転送する機能を有する。
【００８９】
試験パケット抽出部（ｂ０４）は、パディングパケットとして挿入されている試験対象Ｓ，ＧのＩＰマルチキャストパケットを抽出して受信情報処理部（ｂ０５）に転送する機能を有する。
【００９０】
図１を参照して、本発明の原理を示す発ノードのＩＰマルチキャストパケット処理機能について説明する。尚、本図を説明する上での前提条件として「その他のパケット」と「試験対象Ｓ，ＧのＩＰマルチキャストパケット（以降、試験対象Ｓ，Ｇパケットと記す）」の帯域割当の割合は、３：１としている。入力トラヒック“ａ”（ａ０１）は、転送クロック＝１Ｇｂｐｓ、最大スループット（以降、ＭＡＸスループットと記す）は、「試験対象Ｓ，Ｇパケット」＝０．２５Ｇｂｐｓ、「その他のパケット」＝０．７５Ｇｂｐｓである。尚、これらの値は、発明の理解を容易にするための一設定例にすぎず、随意、保守ＯｐＳ（１５０）からの制御により設定可能である。
【００９１】
尚、Ｔｓｅｃ間での「試験対象Ｓ，Ｇパケット」の実スループットは、パケット“ｄ”（パケット長＝Ｍ２）及びパケット“ｊ”（パケット長＝Ｍ４）の各々が転送され、次式のようになっているとする。
【００９２】
【数３】
2010093633.tif 000005
【００９３】
第１フィルタ（ａ０３）では、「試験対象Ｓ，Ｇパケット」のみをフィルタ処理により遮断し、転送クロック１Ｇｂｐｓで第１揺らぎ吸収バッファＥＳ−Ａ（ａ０５）に転送する。尚、帯域割当が「その他のパケット」:「試験対象Ｓ，Ｇパケット」＝３：１の故に、ＭＡＸスループットは０．７５Ｇｂｐｓ（＝「その他のパケット」分）となる。
【００９４】
第２フィルタ（ａ０４）では、「その他のパケット」のみをフィルタ処理により遮断し、転送クロック１Ｇｂｐｓで通信データ用バッファ（ａ０７）に転送する。本図の例では、パケット“ｄ”及び“ｊ”が転送される。尚、帯域割当が、「その他のパケット」:「試験対象Ｓ，Ｇパケット」＝３：１の故に、ＭＡＸスループットは０.２５Ｇｂｐｓ（＝「試験対象Ｓ，Ｇパケット」分）となる。
【００９５】
通信データ用バッファ（ａ０７）に送出可能なパケットがある場合は、第２揺らぎ吸収バッファＥＳ−Ｄ（ａ０６）に転送クロック０.２５Ｇｂｐｓで転送する。また、通信データ用バッファ（ａ０７）に送出可能なパケットが無い場合（尚、通信データ用バッファ（ａ０７）にパケットがある場合は、ＩＰマルチキャスト保守パケットバッファ（ａ０８）からの挿入を待機して、通信データ用バッファ（ａ０７）からの読み出しを優先的に制御することになる。）は、ＩＰマルチキャスト保守パケットバッファ（ａ０８）から、ＩＰマルチキャスト保守パケットをパディングパケットとして挿入する。
【００９６】
送受信制御部（ａ０９）は、第１揺らぎ吸収バッファＥＳ−Ａ（ａ０５）と第２揺らぎ吸収バッファＥＳ−Ｄ（ａ０６）からの読み出し制御は、帯域割当が「その他のパケット」:「試験対象Ｓ，Ｇパケット」＝３：１の故に、３：１の読み出しアービトレーションを実施し、下流の中継ノードヘ転送クロック１Ｇｂｐｓで転送する。
【００９７】
これにより、出力トラヒック“ａ”（ａ０２）に示すように、「試験対象Ｓ，Ｇパケット」は、継続して０．２５Ｇｂｐｓにて転送されるので、使用可能帯域１００％の転送状態、即ち、次式の転送状態となる。
【００９８】
【数４】
2010093633.tif 000006
【００９９】
次に、図２を参照して、本発明の原理を示すエッジノードのＩＰマルチキャストパケット処理機能について説明する。入力トラヒック“ｂ”（ｂ０１）は、転送クロック＝１Ｇｂｐｓ、ＭＡＸスループットは、「試験対象Ｓ，Ｇパケット」＝０．２５Ｇｂｐｓ、「その他のパケット」＝０．７５Ｇｂｐｓであり、「試験対象Ｓ，Ｇパケット」の実スループットは、発ノードＡ（１２０）にて「試験対象Ｓ，Ｇパケット」に割り当てられた０．２５Ｇｂｐｓの帯域のうちの空帯域に、ＩＰマルチキャスト保守パケットをパディングパケットとして挿入したことにより、「試験対象Ｓ，Ｇパケット」の使用可能帯域１００％で転送されている。本図の例では、パケット“１”（パケット長＝Ｍ１）、パケット“ｄ”（パケット長＝Ｍ２）、パケット“２”（パケット長＝Ｍ３）、パケット“j”（パケット長＝Ｍ４）、パケット“３”（パケット長＝Ｍ５）の転送が「試験対象Ｓ，Ｇパケット」の使用可能帯域１００％の転送状態、即ち、次式の転送状態を示すことになる。
【０１００】
【数５】
2010093633.tif 000007
【０１０１】
試験対象Ｓ，Ｇトラヒック監視部（ｂ０３）では、上流の中継ノードより受信したパケットのうち、「試験対象Ｓ，Ｇパケット」のトラヒックを観測し、使用帯域監視情報を、受信情報処理部（ｂ０５）に転送し、併せて、受信したパケットはそのまま下流の試験パケット抽出部（ｂ０４）に転送する。
【０１０２】
試験パケット抽出部（ｂ０４）では、パディングパケットとして挿入されている試験対象Ｓ，ＧのＩＰマルチキャスト保守パケットのみを抽出し、受信情報処理部（ｂ０５）に転送し、本情報を保守ＯｐＳに転送することにより、疎通性確認を実施する。併せて、抽出後の「試験対象Ｓ，Ｇパケット」の実スループットは、入力トラヒック“a”と等価となり、次式のようになる。
【０１０３】
【数６】
2010093633.tif 000008
【０１０４】
このように本発明のＩＰマルチキャスト疎通監視システムによれば、配信サーバから発ノードに届いた試験対象Ｓ，ＧのＩＰマルチキャストパケットが、試験対象Ｓ，Ｇに割り当てられた帯域１００％を使用していない場合でも、不足分の空帯域にＩＰマルチキャスト保守パケットをパディングパケットとして挿入することにより、試験対象Ｓ，Ｇの割当帯域１００％の転送を満足させることができ、これによりシステム運用中においても、タイムリーに帯域使用状況を正確に確認することができるようになる。
【０１０５】
このように、本発明は、前述した実施例に限定されるものではなく、その主旨を逸脱しない範囲において種々変更可能である。従って、本発明は、上述の実施例にて制限されるものではなく、特許請求の範囲によってのみ制限される。
【産業上の利用可能性】
【０１０６】
特定のサーバから到達すべき複数の視聴者端末まで通信の疎通が効率的に確認できるようになり、マルチキャスト通信を利用するサービスに有用である。
【図面の簡単な説明】
【０１０７】
【図１】本発明による一実施例のＩＰマルチキャスト疎通監視システムの原理を示す発ノードのＩＰマルチキャストパケット処理機能に関するプロック図である。
【図２】本発明による一実施例のＩＰマルチキャスト疎通監視システムの原理を示すエッジノードのＩＰマルチキャストパケット処理機能に関するブロック図である。
【図３】本発明による一実施例のＩＰマルチキャスト疎通監視システムの原理を示すＩＰマルチキャスト到達監視方法の実施例のブロック図である。
【図４】本発明による一実施例のＩＰマルチキャスト疎通監視システムの原理を示すＩＰマルチキャスト到達監視方法の実施例におけるＩＰマルチキヤスト保守パケット内情報を示す図である。
【図５】従来のＩＰマルチキャスト到達監視方法の実施例のブロック図である（その１）。
【図６】従来のＩＰマルチキャスト到達監視方法の実施例のブロック図である（その２）。
【図７】先行出願技術のＩＰマルチキャスト到達監視方法の実施例のブロック図である（その１）。
【図８】先行出願技術のＩＰマルチキャスト到達監視方法の実施例のブロック図である（その２）。
【図９】先行出願技術のＩＰマルチキャスト到達監視方法の実施例のブロック図である（その３）。
【図１０】先行出願技術のＩＰマルチキャスト到達監視方法の実施例のブロック図である（その４）。
【図１１】先行出願技術のＩＰマルチキャスト到達監視方法の実施例におけるＩＰマルチキャスト保守パケット内情報を示す図である。
【図１２】先行出願技術のＩＰマルチキャスト到達監視方法の実施例における帯域使用状況確認の実施例のブロック図である。
【図１３】先行出願技術の原理から類推できる発ノードのＩＰマルチキャスト保守パケット挿入機能に関するブロック図である。
【符号の説明】
【０１０８】
０１０  振り分け部
０１１  第１通信データ用バッファ
０１２  第２通信データ用バッファ
０１３  ＩＰマルチキャスト保守パケットバッファ
０１４  送受信制御部
０１５  送信制御部
０１６  通信データ用バッファ
０３０  入力パケット
０３１  出力パケット
０３２  出力パケット
１０１−１，１０１−２  配信サーバＭＳ１，ＭＳ２
１１０−１，１１０−２  視聴者端末ｈ１，ｈ２
１１５  自ネットワークエリア
１１６  配信サーバ側
１１７  ユーザ側（即ち、視聴者端末側）
１１８，１１９  ネットワーク境界点
１２０  発ノードＡ
１２１，１２２  中継ノードＢ，Ｃ
１２３，１２４  エッジノードＤ，Ｅ
１４０−１〜１４０−６  同一のグループ（Ｇ）宛のマルチキャストルート
１５０  保守ＯｐＳ
１６０  ＩＰマルチキャスト保守パケット情報の内訳
１６１  テストモード（ＴＭ）内の詳細情報
１６１−１  テストモード（ＴＭ）内の詳細情報
ＭＤ  モード識別（通常モード／帯域確認モード）
ＰＳＴ  パケットステータス（先頭パケット／中間パケット／最終パケット）
Ｔ  監視周期（先頭パケットから最終パケット完了までの送出時間：ｓｅｃ）
Ｍ  パケット長（ｂｉｔ）
Ｎ  パケット数（監視周期（Ｔ）内で送出するパケット数：個）
ａ０１  入力トラヒック“ａ”
ａ０２  出力トラヒック“a”
ａ０３  第１フィルタ
ａ０４  第２フィルタ
ａ０５  第１揺らぎ吸収バッファ（ＥＳ−Ａ）
ａ０６  第２揺らぎ吸収バッファ（ＥＳ−Ｄ）
ａ０７  通信データ用バッファ
ａ０８  ＩＰマルチキャスト保守パケットバッファ
ａ０９  送受信制御部
ｂ０１  入力トラヒック“ｂ”
ｂ０２  出力トラヒック“ｂ”
ｂ０３  試験対象Ｓ，Ｇトラヒック監視部
ｂ０４  試験パケット抽出部
ｂ０５  受信情報処理部
【図１】
2010093633.tif 000009
【図２】
2010093633.tif 000010
【図３】
2010093633.tif 000011
【図４】
2010093633.tif 000012
【図５】
2010093633.tif 000013
【図６】
2010093633.tif 000014
【図７】
2010093633.tif 000015
【図８】
2010093633.tif 000016
【図９】
2010093633.tif 000017
【図１０】
2010093633.tif 000018
【図１１】
2010093633.tif 000019
【図１２】
2010093633.tif 000020
【図１３】
2010093633.tif 000021